(57)【要約】【課題】通信のスループットの低下を抑制すること。【解決手段】送信制御装置は、メモリと、前記メモリに接続されたプロセッサとを有し、前記プロセッサは、端末装置に信号を送信することが可能な複数の送信点の間のリンクに応じて、階層構造の前記複数の送信点のグループを形成し、前記複数の送信点から前記端末装置との通信に用いる２以上の送信点に応じて、前記グループの階層構造を調整する処理を実行する。【選択図】図２
2019091974.tif 000002
【特許請求の範囲】
【請求項１】
メモリと、
前記メモリに接続されたプロセッサとを有し、
前記プロセッサは、
端末装置に信号を送信することが可能な複数の送信点の間のリンクに応じて、階層構造の前記複数の送信点のグループを形成し、
前記複数の送信点から前記端末装置との通信に用いる２以上の送信点に応じて、前記グループの階層構造を調整する
処理を実行することを特徴とする送信制御装置。
【請求項２】
前記リンクは、前記複数の送信点の間の回線品質が所定の基準を満たす送信点間で生成されることを特徴とする請求項１に記載の送信制御装置。
【請求項３】
前記プロセッサは、
調整された前記グループの前記リンクを用いて前記複数の送信点にキャリブレーション信号を送受信させ、
前記キャリブレーション信号を用いたチャネル推定結果に基づいて、前記複数の送信点が備える送信回路及び受信回路の伝送特性の相違を校正するキャリブレーション係数を算出する
処理をさらに実行することを特徴とする請求項１に記載の送信制御装置。
【請求項４】
前記形成する処理は、
前記端末装置を含む複数の端末装置からの受信電力が高い送信点のうち出現頻度が高い送信点を所定数選択することを特徴とする請求項１に記載の送信制御装置。
【請求項５】
前記形成する処理は、
前記複数の端末装置への協調送信時に電力的な寄与が大きい送信点のうち出現頻度が高い送信点を所定数選択することを特徴とする請求項４に記載の送信制御装置。
【請求項６】
前記形成する処理は、
階層構造の異なる複数のグループを形成し、
前記プロセッサは、
前記階層構造の異なる複数のグループごとに送信点の間のホップ数を算出する
処理をさらに実行させ、
前記調整する処理は、
前記階層構造の異なる複数のグループのうち、前記形成する処理で選択した前記送信点の間の平均ホップ数が最小となるグループを選択することを特徴とする請求項１に記載の送信制御装置。
【請求項７】
前記プロセッサは、
前記グループの前記リンクを用いて前記複数の送信点にキャリブレーション信号を送受信させ、
前記キャリブレーション信号を用いたチャネル推定結果に基づいて、前記複数の送信点が備える送信回路及び受信回路の伝送特性の相違を校正するキャリブレーション係数を算出し、
前記キャリブレーション係数に基づき、前記複数の送信点から前記端末装置への協調送信を行う
処理をさらに実行し、
前記形成する処理は、
前記協調送信に基づいて、送信点の選択を行うことを特徴とする請求項１に記載の送信制御装置。
【請求項８】
前記調整する処理は、
前記グループの前記リンクの間の回線品質に基づいて、前記グループの階層構造を調整することを特徴とする請求項１に記載の送信制御装置。
【請求項９】
送信制御装置と、前記送信制御装置に接続されそれぞれ端末装置へ信号を無線送信する複数の送信点とを有する無線通信システムであって、
前記送信制御装置は、
メモリと、
前記メモリに接続されたプロセッサとを有し、
前記プロセッサは、
端末装置に信号を送信することが可能な複数の送信点の間のリンクに応じて、階層構造の前記複数の送信点のグループを形成し、
前記複数の送信点から前記端末装置との通信に用いる２以上の送信点に応じて、前記グループの階層構造を調整する
処理を実行し、
前記送信点は、
キャリブレーション信号に対して無線送信処理を実行し、前記調整する処理において調整されたリンクを用いて、無線送信処理後のキャリブレーション信号を送信する送信回路と、
前記調整する処理において調整されたリンクを用いて、キャリブレーション信号を受信し、受信したキャリブレーション信号に対して無線受信処理を実行する受信回路とを有する
ことを特徴とする無線通信システム。
【請求項１０】
端末装置に信号を送信することが可能な複数の送信点の間のリンクに応じて、階層構造の前記複数の送信点のグループを形成し、
前記複数の送信点から前記端末装置との通信に用いる２以上の送信点に応じて、前記グループの階層構造を調整し、
調整されたリンクを用いて前記複数の送信点にキャリブレーション信号を送受信させ、
キャリブレーション信号を用いたチャネル推定結果に基づいて、前記複数の送信点が備える送信回路及び受信回路の伝送特性の相違を校正するキャリブレーション係数を算出する
処理を有することを特徴とするキャリブレーション方法。
【発明の詳細な説明】
【技術分野】
【０００１】
本発明は、送信制御装置、無線通信システム及びキャリブレーション方法に関する。
【背景技術】
【０００２】
一般に、分散アンテナシステムでは、アンテナを備える送信点（Transmission  Point：ＴＰ）が地理的に分散して配置され、ユーザとなる端末装置（User  Equipment：ＵＥ）に対して複数のＴＰから協調送信が行われることがある。複数のＵＥに対して同時に協調送信が行われる場合、各ＵＥの受信信号における他ＵＥ宛ての信号成分が十分小さくなるように、ユーザ間の直交性を実現する送信ウェイトが適用される。送信ウェイトは、各ＴＰから各ＵＥへ向かう下りチャネルの情報に基づいて算出されるため、送信側において高精度な下りチャネル情報を取得することが望ましい。
【０００３】
下りチャネル情報の取得方法としては、下り回線で送信される参照信号に基づいてＵＥがチャネル推定を行い、チャネル推定結果を上り回線でフィードバックする方法がある。また、上り回線と下り回線の通信で同じ周波数を使用するＴＤＤ（Time  Division  Duplex）方式では、上り回線と下り回線の無線チャネルの対称性を利用して、上り回線のチャネル推定結果から下りチャネル情報を推定する方法がある。
【０００４】
ところで、上り回線及び下り回線の無線チャネルは対称であり同等である一方、ＴＰ及びＵＥなどの各装置の送受信回路の伝送特性は異なっている。このため、例えば上り回線の参照信号から推定される上り回線のチャネル推定値は、実際の下り回線のチャネルを正確に示すものではない。
【０００５】
すなわち、例えば上り回線の信号は、ＵＥの送信回路を通過して上り回線の無線チャネルを経由し、ＴＰの受信回路を通過する。これに対して、下り回線の信号は、ＴＰの送信回路を通過して下り回線の無線チャネルを経由し、ＵＥの受信回路を通過する。このため、チャネル推定される上り回線のチャネルは、ＵＥの送信回路及びＴＰの受信回路を含む一方で、実際の下り回線のチャネルは、ＴＰの送信回路及びＵＥの受信回路を含む。そして、送信回路及び受信回路の伝送特性は、ＴＰとＵＥとで異なっているため、これらの送受信回路の伝送特性の相違によって、上り回線及び下り回線のチャネルは互いに相違する。
【０００６】
そこで、上り回線のチャネル推定値から正確な下りチャネル情報を得るために、キャリブレーションが実行されることがある。キャリブレーションは、複数の送受信回路の伝送特性の相違を校正する処理であり、例えば既知の試験信号を送受信することにより、複数のチャネルにおける位相回転及び振幅変動などの相対関係を求める。具体的に、分散配置された複数のＴＰのキャリブレーション方法として、ＴＰ間で既知の試験信号を交互に送受信し、その結果からキャリブレーション係数を算出する方法がある。
【０００７】
図１８は、ベースバンド処理装置（Centralized-BaseBand  Unit：Ｃ−ＢＢＵ）に接続されたＴＰ＃ｍとＴＰ＃ｎの間のキャリブレーションを説明する図である。
【０００８】
ＴＰ＃ｍからＴＰ＃ｎへ試験信号を送信して得られるチャネル応答ｆTP(m,n)と、ＴＰ＃ｎからＴＰ＃ｍに同じ試験信号を送信して得られるチャネル応答ｇTP(m,n)との比を取ることで、以下の式（１）に示すように、ＴＰ＃ｍとＴＰ＃ｎの間のキャリブレーション係数ｃm,nを算出することができる。
【数１】
2019091974.tif 000003
【０００９】
ただし、式（１）において、Ｔm、ＲmはそれぞれＴＰ＃ｍの送信回路、受信回路の伝送特性を示し、Ｔn、ＲnはそれぞれＴＰ＃ｎの送信回路、受信回路の伝送特性を示す。また、ｈTP(m,n)は無線チャネルの伝搬路値である。式（１）によって算出されるキャリブレーション係数ｃm,nにより、複数のＴＰの送受信回路の伝送特性の相違を校正することができる。したがって、協調送信においては、送受信回路の伝送特性の相違による影響を排除して、複数のＴＰから信号を送信することが可能となる。
【先行技術文献】
【特許文献】
【００１０】
【特許文献１】特開２０１１−２１７０４６号公報
【特許文献２】特表２００７−５１７４４０号公報
【特許文献３】特表２０１５−５３２０５１号公報
【発明の概要】
【発明が解決しようとする課題】
【００１１】
上述したように、複数のＴＰについてキャリブレーションをすることにより、これらのＴＰによる協調送信が可能となる。このとき、一定程度以上のキャリブレーションの精度を確保するためには、例えばＳＮＲ（Signal  to  Noise  Ratio）などの回線品質が所定の基準を満たすＴＰ間でキャリブレーションを実行するのが好ましい。このため、回線品質が所定の基準を満たすＴＰのペアの間にキャリブレーション用のリンクを形成し、各リンクにおけるキャリブレーション係数を算出することが考えられる。
【００１２】
この場合、複数のリンクを介して間接的に接続されるＴＰ間でもキャリブレーションが可能であるため、連続したリンクで接続されるＴＰの間でキャリブレーションができる。
【００１３】
このように、リンクを介して直接または間接的に接続されるＴＰでは、任意のＴＰ間でキャリブレーションが可能であるため、連続したリンクで接続されるＴＰ間で協調送信が可能となる。
【００１４】
しかしながら、複数のリンクにまたがるＴＰ間のキャリブレーション係数を算出する場合、複数のリンクそれぞれのキャリブレーション係数を用いてＴＰ間のキャリブレーション係数を算出する。そのため、各リンクのキャリブレーション係数に含まれる誤差によって、ＴＰ間のキャリブレーション精度が劣化し、スループットが低下する可能性がある。例えば、ＴＰ＃１、ＴＰ＃２を用いてＵＥに対する協調送信を行う場合、ＴＰ＃１とＴＰ＃２との間に経由するＴＰの数が増えるほどキャリブレーション係数ｃn1,2は、大きくなる。例えば、ＴＰ＃１からＴＰ＃３、ＴＰ＃４を経由してＴＰ＃２と接続されている場合、キャリブレーション係数ｃ1,2は、各ＴＰ間のキャリブレーション係数ｃ1,3、ｃ3,4、ｃ4,2を乗算して算出する。したがって、各キャリブレーション係数ｃ1,3、ｃ3,4、ｃ4,2に含まれる誤差がＴＰ＃１とＴＰ＃２との間のキャリブレーション係数ｃ1,2にも含まれる。
【００１５】
開示の技術は、上記に鑑みてなされたものであって、通信のスループットの低下を抑制することができる送信制御装置、無線通信システム及びキャリブレーション方法を提供することを目的とする。
【課題を解決するための手段】
【００１６】
本願の開示する送信制御装置は、メモリと、前記メモリに接続されたプロセッサとを有し、前記プロセッサは、端末装置に信号を送信することが可能な複数の送信点の間のリンクに応じて、階層構造の前記複数の送信点のグループを形成し、前記複数の送信点から前記端末装置との通信に用いる２以上の送信点に応じて、前記グループの階層構造を調整する処理を実行する。
【発明の効果】
【００１７】
本願の開示する送信制御装置の一つの態様によれば、通信のスループットの低下を抑制することができるという効果を奏する。
【図面の簡単な説明】
【００１８】
【図１】図１は、実施の形態１に係る無線通信システムの構成を示す図である。
【図２】図２は、実施の形態１に係るベースバンド処理装置の構成を示す機能ブロック図である。
【図３】図３は、実施の形態１に係る暫定ＣＡＬグループの生成方法を示すフロー図である。
【図４】図４は、ＣＡＬリンクの生成例を示す図である。
【図５】図５は、暫定ＣＡＬグループの一例を示す図である。
【図６】図６は、候補ＣＡＬグループの一例を示す図である。
【図７】図７は、ホップ数テーブルの一例を示す図である。
【図８】図８は、実施の形態１に係る最適ＣＡＬグループの生成方法を示すフロー図である。
【図９】図９は、協調セットに含まれるＴＰの選択例を示す図である。
【図１０】図１０は、ＵＥごとの協調セットの一例を示す図である。
【図１１】図１１は、高頻度ＴＰの抽出例を示す図である。
【図１２】図１２は、候補ＣＡＬグループ＃１内の高頻度ＴＰを説明する図である。
【図１３】図１３は、候補ＣＡＬグループ＃１内の高頻度ＴＰ間の平均ホップ数を説明する図である。
【図１４】図１４は、候補ＣＡＬグループ＃２内の高頻度ＴＰを説明する図である。
【図１５】図１５は、候補ＣＡＬグループ＃２内の高頻度ＴＰ間の平均ホップ数を説明する図である。
【図１６】図１６は、ＣＡＬリンクの重みの一例を示す図である。
【図１７】図１７は、重みを考慮した候補ＣＡＬグループ＃１の一例を示す図である。
【図１８】図１８は、キャリブレーションを説明する図である。
【発明を実施するための形態】
【００１９】
以下、本願が開示する送信制御装置、無線通信システム及びキャリブレーション方法の実施の形態について、図面を参照して詳細に説明する。なお、この実施の形態により本発明が限定されるものではない。
【００２０】
（実施の形態１）
図１は、実施の形態１に係る無線通信システムの構成を示す図である。図１に示すように、無線通信システムは、ベースバンド処理装置１００と複数の送信点（ＴＰ）とを有し、各ＴＰは、ベースバンド処理装置１００に接続されている。なお、図１では省略したが、他の複数のＴＰが他のベースバンド処理装置に接続されて配置されても良い。
【００２１】
ベースバンド処理装置１００は、図示しないユーザ端末装置（ＵＥ）に対して信号を送信する際に、複数のＴＰを協調させて信号を送信させる。すなわち、ベースバンド処理装置１００は、ＵＥ宛てのベースバンド信号を生成し、プリコーディングをした上で、送信元のＴＰへベースバンド信号を送信する。このとき、ベースバンド処理装置１００は、ＵＥから各ＴＰへ向かう上り回線（Uplink：以下「ＵＬ」と略記する）のチャネル推定値に基づいて各ＴＰからＵＥへ向かう下り回線（Downlink：以下「ＤＬ」と略記する）のチャネル推定値を算出し、ＤＬのチャネル推定値からプリコーディング行列を生成する。
【００２２】
また、ベースバンド処理装置１００は、複数のＴＰによる協調送信を実行するために、複数のＴＰのキャリブレーションを実行する。すなわち、ベースバンド処理装置１００は、自装置に接続された複数のＴＰからペアを形成し、形成したペアのＴＰ間にキャリブレーション用のリンク（以下「ＣＡＬリンク」という）を生成する。そして、ベースバンド処理装置１００は、ＣＡＬリンクで接続されたＴＰ間でキャリブレーション用の参照信号（以下「ＣＡＬ信号」という）を送受信させ、ＴＰ間のキャリブレーションを実行する。
【００２３】
ベースバンド処理装置１００は、ＣＡＬリンクを生成する際、起点となる１つのＴＰからＳＮＲが基準を満たすＴＰをリンクで接続していくことにより、ＣＡＬリンクで接続された複数のＴＰを含むＣＡＬグループを形成する。その後、ベースバンド処理装置１００は、１つのＣＡＬグループに属するＴＰによる協調送信時に、図示しないＵＥの分布に応じてＣＡＬリンクを調整し、ＣＡＬグループの階層構造を変更する。ベースバンド処理装置１００によるＣＡＬリンクの生成及び調整については、後に詳述する。
【００２４】
ＴＰは、図示しないＵＥとの間で無線通信する。すなわち、ＴＰは、ＵＥ宛てのベースバンド信号をベースバンド処理装置１００から受信すると、このベースバンド信号に対して所定の無線送信処理を施し、アンテナを介して無線送信する。また、ＴＰは、ＵＥから無線送信された信号をアンテナを介して受信し、受信信号に対して所定の無線受信処理を施す。そして、ＴＰは、無線受信処理によって得られたベースバンド信号をベースバンド処理装置１００へ送信する。
【００２５】
ＴＰは、アンテナごとにそれぞれ送信回路及び受信回路を有している。送信回路は、例えばＤ／Ａ（Digital/Analog）変換、アップコンバート及び送信電力増幅などの無線送信処理を実行し、受信回路は、例えば受信電力増幅、ダウンコンバート及びＡ／Ｄ（Analog/Digital）変換などの無線受信処理を実行する。
【００２６】
これらのアンテナごとの送信回路及び受信回路は、異なる伝送特性を有するため、上述したように、ベースバンド処理装置１００によってキャリブレーションが実行される。キャリブレーション時には、送信回路は、ＣＡＬ信号に対して無線送信処理を実行し、ＣＡＬリンクが生成されたＴＰ間で、無線送信処理後のＣＡＬ信号を送信する。また、受信回路は、ＣＡＬリンクが生成されたＴＰ間で送信されるＣＡＬ信号を受信し、受信したＣＡＬ信号に対して無線受信処理を実行する。
【００２７】
なお、ＴＰが複数のアンテナを備える場合には、各ＴＰにおいてあらかじめ決定された基準アンテナ間のキャリブレーションが実行されても良い。この場合、それぞれのＴＰにおいて、基準アンテナと他のアンテナとの間のキャリブレーションが実行されれば、すべてのＴＰ間及びすべてのアンテナ間でのキャリブレーションが実行されたことになる。
【００２８】
図２は、実施の形態１に係るベースバンド処理装置１００の構成を示すブロック図である。図２に示すベースバンド処理装置１００は、送信インタフェース部（以下「送信Ｉ／Ｆ部」と略記する）１０１、受信インタフェース部（以下「受信Ｉ／Ｆ部」と略記する）１０２、プロセッサ１０３及びメモリ１０４を有する。
【００２９】
送信Ｉ／Ｆ部１０１は、複数のＴＰと接続し、プロセッサ１０３から出力される信号を各ＴＰへ送信する。なお、送信Ｉ／Ｆ部１０１は、例えば、無線基地局の内部インタフェースに用いられるＣＰＲＩ（Ｃｏｍｍｏｎ  Ｐｕｂｌｉｃ  Ｒａｄｉｏ  Ｉｎｔｅｒｆａｃｅ）により実現される。
【００３０】
受信Ｉ／Ｆ部１０２は、複数のＴＰと接続し、各ＴＰから送信された信号を受信し、プロセッサ１０３へ出力する。なお、送信Ｉ／Ｆ部１０１は、例えば、無線基地局の内部インタフェースに用いられるＣＰＲＩ（Ｃｏｍｍｏｎ  Ｐｕｂｌｉｃ  Ｒａｄｉｏ  Ｉｎｔｅｒｆａｃｅ）により実現される。なお、送信Ｉ／Ｆ部１０１と受信Ｉ／Ｆ部１０２を１つのＣＰＲＩとしても良い。
【００３１】
プロセッサ１０３は、例えばＣＰＵ（Central  Processing  Unit）、ＦＰＧＡ（Field  Programmable  Gate  Array）又はＤＳＰ（Digital  Signal  Processor）などを備え、メモリ１０４を利用して種々の処理を実行する。具体的には、プロセッサ１０３は、測定信号送信部２０１、測定信号受信部２０２、ＳＮＲ算出部２０３、ＣＡＬリンク生成部２０４、ＣＡＬ信号送信部２０５、ＣＡＬ信号受信部２０６、ＣＡＬ係数算出部２０７、ＣＡＬツリー制御部２０８、ＵＬ信号受信部２０９、チャネル推定値補正部２１０及びＤＬ信号送信部２１１を有する。
【００３２】
測定信号送信部２０１は、ＴＰ間のＳＮＲを測定するための既知の測定信号を各ＴＰから順番に送信させる。すなわち、測定信号送信部２０１は、送信Ｉ／Ｆ部１０１に接続されたＴＰから１つずつ順番に測定信号を送信させる。測定信号送信部２０１は、各ＴＰからの測定信号の送信を、例えば１日１回などの所定の周期で実行する。また、測定信号送信部２０１は、例えば後述するＣＡＬ信号受信部２０６によって受信されるＣＡＬ信号の平均受信レベルが所定の閾値未満になった場合に、各ＴＰからの測定信号の送信を実行しても良い。
【００３３】
測定信号受信部２０２は、ＴＰから順次送信され他のＴＰが受信した測定信号を受信する。すなわち、上述したように、ＴＰは１つずつ順番に測定信号を送信するため、各ＴＰは、自己以外のＴＰから送信された測定信号を受信する。なお、測定信号送信部２０１及び測定信号受信部２０２による測定信号の送受信は、例えばＴＤＤにおいてＤＬとＵＬが切り替わる境界に配置されるガードピリオド（Guard  Period：ＧＰ）を利用して実行されても良い。
【００３４】
ＳＮＲ算出部２０３は、測定信号受信部２０２によって受信された測定信号を用いて、ＴＰ間の回線品質を測定する。具体的には、ＳＮＲ算出部２０３は、２つのＴＰの組み合わせごとに、両方向に送信された測定信号のＳＮＲをそれぞれ算出する。したがって、ＳＮＲ算出部２０３は、すべてのＴＰのペアについて、両方向のＳＮＲを算出する。
【００３５】
ＣＡＬリンク生成部２０４は、ＳＮＲ算出部２０３によって算出されたＳＮＲを用いて、キャリブレーションを実行するペアのＴＰ間をＣＡＬリンクで接続する。すなわち、ＣＡＬリンク生成部２０４は、回線品質が所定の基準を満たすＴＰをペアに決定し、ペアとなるＴＰ間をＣＡＬリンクによって接続する。具体的には、ＣＡＬリンク生成部２０４は、各ＴＰ間におけるＳＮＲに基づいて、ＳＮＲが所定の閾値以上となるＴＰのすべてのペアを特定する。そして、ＣＡＬリンク生成部２０４は、特定したすべてのＴＰのペアをＣＡＬリンクで接続する。したがって、ＣＡＬリンクで接続される親子ＴＰにおいて、子ＴＰが複数の親ＴＰと接続する場合がある。このように、ＣＡＬリンク生成部２０４は、ＣＡＬリンクで接続された複数のＴＰをグループ化して、リンクグループを形成する。また、後述するようにＣＡＬ係数算出部２０７は算出したリンクグループに含まれるＴＰのペアを接続したすべてのＣＡＬリンクについてキャリブレーション係数（以下「ＣＡＬ係数」という）を算出する。ＣＡＬリンク生成部２０４は、ＣＡＬ係数算出部２０７が算出したＣＡＬ係数に基づいて、起点となる基準ＴＰから順にペアとなるＴＰをＣＡＬリンクで接続していく。この場合、ＣＡＬリンクで接続される親子ＴＰにおいて、子ＴＰが１つの親ＴＰと接続する点でリンクグループとは異なる。このように、ＣＡＬリンク生成部２０４は、基準ＴＰから順にＣＡＬリンクで接続された複数のＴＰを暫定的にグループ化して、暫定ＣＡＬグループを形成する。
【００３６】
ＣＡＬツリー制御部２０８は、リンクグループのＣＡＬリンクに基づいて、候補ＣＡＬグループを生成する。ＣＡＬツリー制御部２０８は、起点となる基準ＴＰから順にペアとなるＴＰをＣＡＬリンクで接続していく。このとき、ＣＡＬツリー制御部２０８は、候補ＣＡＬグループの階層構造が互いに異なるものとなるように、ＴＰをＣＡＬリンクで接続する。すなわち、ＣＡＬツリー制御部２０８は、ＴＰとＣＡＬリンクで構成される候補ＣＡＬグループのツリー形状が互いに異なるものとなるようにする。ＣＡＬツリー制御部２０８が生成する候補ＣＡＬグループの数は、ＴＰの数やリンクグループのＣＡＬリンクの数、リンクグループのリンク接続の重複度（子ＴＰが接続する親ＴＰの数）等によって異なる。そこで、ＴＰのトラフィック需要の時間的な変化や大まかなＵＥの分布（例えば昼間と夜間の人口分布）などの外部情報に基づいて、ＣＡＬツリー制御部２０８が一定数（Ｋ個）の候補ＣＡＬグループを生成するようにしても良い。なお、ＣＡＬツリー制御部２０８が生成する候補ＣＡＬグループは、暫定ＣＡＬグループと同じであっても異なっていても良い。あるいは、ＣＡＬリンク生成部２０４が、ＣＡＬツリー制御部２０８が生成する候補ＣＡＬグループの中から暫定ＣＡＬグループを選択するようにしても良い。
【００３７】
ＣＡＬツリー制御部２０８は、生成した候補ＣＡＬグループに含まれるＴＰの間のホップ数を算出する。具体的には、ＣＡＬツリー制御部２０８は、ＴＰとＣＡＬリンクで直接接続しているＴＰのホップ数を「０」とする。また、ＣＡＬツリー制御部２０８は、例えば、ＴＰと２つのＴＰを介して３つのＣＡＬリンクで接続しているＴＰのホップ数を「２」とする。このように、ＣＡＬツリー制御部２０８は、候補ＣＡＬグループごとに、すべてのＴＰについて他のＴＰとの間のホップ数を算出する。
【００３８】
ＣＡＬツリー制御部２０８は、ＵＥに対して協調送信を行うＴＰのうちＵＥとの間の回線品質が高いＴＰを選択し、選択したＴＰの間を接続するＣＡＬリンク数、換言するとホップ数が少なくなるように、暫定ＣＡＬグループの階層構造を調整する。具体的には、ＣＡＬツリー制御部２０８は、暫定ＣＡＬグループの後述するツリーＣＡＬ係数を用いた協調送信を所定期間行って、回線品質が高くＵＥへの協調送信に適したＴＰの集合を協調セットとして選択する。ＣＡＬツリー制御部２０８は、複数のＵＥの協調セットに含まれるＴＰのうち出現頻度の高い高頻度ＴＰの組を抽出する。ＣＡＬツリー制御部２０８は、抽出した高頻度ＴＰの組に含まれるＴＰ間の平均ホップ数を、ＣＡＬツリー制御部２０８が算出したホップ数に基づいて、候補ＣＡＬグループごとに算出する。ＣＡＬツリー制御部２０８は、算出した平均ホップ数が最も少ない候補ＣＡＬグループを、暫定ＣＡＬグループの階層構造を調整した最適ＣＡＬグループに選出する。
【００３９】
ＣＡＬ信号送信部２０５は、ＣＡＬリンク生成部２０４が形成したリンクグループのＣＡＬリンクを構成するすべてのＴＰ間でＣＡＬ信号を送信させる。すなわち、ＣＡＬ信号送信部２０５は、リンクグループにおいて、各ＴＰから順次ＣＡＬ信号を送信させる。このとき、ＣＡＬ信号送信部２０５は、複数のＴＰから同時にＣＡＬ信号を送信させても良い。この場合には、ＣＡＬ信号送信部２０５は、各ＴＰから送信されるＣＡＬ信号として、互いに直交する系列を用いる。
【００４０】
ＣＡＬ信号受信部２０６は、ＣＡＬリンク生成部２０４が形成したリンクグループのＣＡＬリンクを構成するすべてのＴＰで受信されたＣＡＬ信号を受信する。
【００４１】
ＣＡＬ係数算出部２０７は、ＣＡＬ信号受信部２０６によって受信されたＣＡＬ信号を用いてチャネル推定を実行し、各ＴＰの送信回路及び受信回路の伝送特性の相違を校正するＣＡＬ係数を算出する。具体的には、ＣＡＬ係数算出部２０７は、まず上式（１）に示したように、２つのＴＰ間のチャネル応答から、ＣＡＬリンクごとのＣＡＬ係数を算出する。チャネル応答は、２つのＴＰ間で送受信されたＣＡＬ信号に対するチャネル推定を実行することにより求められる。そして、ＣＡＬ係数算出部２０７は、リンクグループのＣＡＬリンクごとにＣＡＬ係数（以下、「リンクＣＡＬ係数」と記載する）を算出する。また、ＣＡＬ係数算出部２０７は、暫定ＣＡＬグループに含まれるＴＰごとに、起点のＴＰとの間のＣＡＬ係数（以下、「ツリーＣＡＬ係数」と記載する）を算出する。すなわち、ＣＡＬ係数算出部２０７は、起点のＴＰから各ＴＰまでの間に含まれるＣＡＬリンクのリンクＣＡＬ係数を乗算することにより、起点のＴＰを基準とした各ＴＰのツリーＣＡＬ係数を算出する。なお、ＣＡＬツリー制御部２０８が最適ＣＡＬグループを選出した場合、ＣＡＬ係数算出部２０７は、暫定ＣＡＬグループと同様に、最適ＣＡＬグループのツリーＣＡＬ係数を算出する。
【００４２】
ＵＬ信号受信部２０９は、ＵＥから送信されて各ＴＰによって受信されたＵＬ信号を受信する。そして、ＵＬ信号受信部２０９は、ＵＥのパイロットシンボルを用いて、ＵＥと各ＴＰの間のチャネル推定値を算出する。
【００４３】
チャネル推定値補正部２１０は、ＵＬ信号受信部２０９によって算出されたチャネル推定値を、ＣＡＬ係数算出部２０７によって算出されたツリーＣＡＬ係数によって補正する。すなわち、チャネル推定値補正部２１０は、ＵＬのチャネル推定値をツリーＣＡＬ係数によって補正することにより、ＤＬのチャネル推定値を得る。なお、チャネル推定値補正部２１０は、ＣＡＬツリー制御部２０８による最適ＣＡＬグループの選定前は、暫定ＣＡＬグループのツリーＣＡＬ係数を用いてＵＬのチャネル推定値を補正する。一方、ＣＡＬツリー制御部２０８による最適ＣＡＬグループの選定後は、チャネル推定値補正部２１０は、最適ＣＡＬグループのツリーＣＡＬ係数を用いてＵＬのチャネル推定値を補正する。
【００４４】
ＤＬ信号送信部２１１は、チャネル推定値補正部２１０によって得られたＤＬのチャネル推定値を用いて、ＵＥを送信先とするＤＬ信号を送信する。具体的には、ＤＬ信号送信部２１１は、ＤＬのチャネル推定値を用いてＤＬ信号のプリコーディング行列を生成し、ＤＬ信号をプリコーディングした上で各ＴＰへ送信する。これにより、ＤＬ信号は、各ＴＰから適切な送信ウェイトで送信される。
【００４５】
次いで、上記のように構成されたベースバンド処理装置１００による暫定ＣＡＬグループの生成方法について、図３に示すフロー図を参照しながら説明する。
【００４６】
例えば１日に１回などの所定の周期が到来した際やＣＡＬ信号の平均受信レベルが所定の閾値未満になった際には、ＣＡＬリンクを更新するために既知の測定信号がＴＰ間で送受信される（ステップＳ１０１）。具体的には、測定信号送信部２０１によって、１つのＴＰからの測定信号の送信が順次指示され、他のＴＰによって受信された測定信号が測定信号受信部２０２によって受信される。測定信号の送受信は、例えばＤＬ及びＵＬのいずれの信号も送受信されないＧＰを利用して実行されても良い。
【００４７】
そして、測定信号受信部２０２によって受信された測定信号が用いられることにより、ＴＰ間のＳＮＲが算出される（ステップＳ１０２）。すなわち、すべてのＴＰのペアごとに測定信号が送受信されているため、ＳＮＲ算出部２０３によって、各ペアのＴＰ間のＳＮＲが算出される。すべてのペアについてＳＮＲが算出されると、ＣＡＬリンク生成部２０４によって、ＣＡＬ信号の送受信に用いられるＣＡＬリンクが生成される（ステップＳ１０３）。ＣＡＬリンク生成の際には、ＣＡＬリンク生成部２０４は、ＳＮＲが所定の閾値以上となるＴＰのすべてのペアをＣＡＬリンクで接続する。したがって、例えば図４に示すように、ＣＡＬリンクで接続される親子ＴＰにおいて、子ＴＰが複数の親ＴＰと接続する場合がある。図４に示す例では、ＴＰ＃１とＴＰ＃３〜ＴＰ＃６とがそれぞれＣＡＬリンクで接続される。また、ＴＰ＃４と、ＴＰ＃３、ＴＰ＃５、ＴＰ＃９とがそれぞれＣＡＬリンクで接続される。ＴＰ＃６と、ＴＰ＃２、ＴＰ＃５とがそれぞれＣＡＬリンクで接続される。ＴＰ＃７と、ＴＰ＃２、ＴＰ＃８とがそれぞれＣＡＬリンクで接続される。ＴＰ＃９と、ＴＰ＃３、ＴＰ＃８とがそれぞれＣＡＬリンクで接続される。したがって、ＴＰ＃３は、ＴＰ＃１と直接ＣＡＬリンクで接続されるとともに、ＴＰ＃４を介して間接的にＣＡＬリンクで接続される。このように、ＣＡＬリンク生成部２０４はＣＡＬリンクによる接続が重複するＴＰを含むリンクグループを形成する。
【００４８】
図３に戻り、ＣＡＬリンク生成部２０４によって、１つの起点のＴＰを選択し、起点のＴＰからＳＮＲが所定の基準を満たすＴＰを順次ＣＡＬリンクで接続することで暫定ＣＡＬグループが生成される（ステップＳ１０４）。したがって、例えば図５に示すように、ＣＡＬリンクで接続される親子ＴＰにおいて、子ＴＰが１つの親ＴＰと接続する。図５に示す例では、ＴＰ＃１とＴＰ＃３〜ＴＰ＃６とがそれぞれＣＡＬリンクで接続される。ＴＰ＃３にはＴＰ＃９がＣＡＬリンクで接続され、ＴＰ＃９にはＴＰ＃８がＣＡＬリンクで接続される。また、ＴＰ＃６にはＴＰ＃２がＣＡＬリンクで接続され、ＴＰ＃２にはＴＰ＃７がＣＡＬリンクで接続される。
【００４９】
図３に戻り、暫定ＣＡＬグループが形成されると、リンクグループのＣＡＬリンクによって接続されたＴＰ間でＣＡＬ信号が送受信される（ステップＳ１０５）。具体的には、ＣＡＬ信号送信部２０５によって、いずれかのＴＰからのＣＡＬ信号の送信が順次指示され、他のＴＰによって受信されたＣＡＬ信号がＣＡＬ信号受信部２０６によって受信される。
【００５０】
ＣＡＬ信号が送受信されると、ＣＡＬ係数算出部２０７によってＣＡＬ信号を用いたチャネル推定が実行され、各ＴＰ間のチャネル推定値に基づいて、各ＴＰの送信回路及び受信回路の伝送特性の相違を校正するリンクＣＡＬ係数が算出される（ステップＳ１０６）。具体的には、ＣＡＬ係数算出部２０７によって、例えば上式（１）によってＣＡＬリンクごとのリンクＣＡＬ係数が算出される。図４に示す例では、ＴＰ＃１とＴＰ＃３〜ＴＰ＃６との間のＣＡＬ係数ｃ1,3、ｃ1,4、ｃ1,5、ｃ1,6がそれぞれ算出される。また、ＴＰ＃４と、ＴＰ＃３、ＴＰ＃５、ＴＰ＃９との間のＣＡＬ係数ｃ3,4、ｃ4,5、ｃ4,9がそれぞれ算出される。また、ＴＰ＃６と、ＴＰ＃２、ＴＰ＃５との間のＣＡＬ係数ｃ2,6、ｃ5,6がそれぞれ算出される。ＴＰ＃７と、ＴＰ＃２、ＴＰ＃８との間のＣＡＬ係数ｃ2,7、ｃ7,8がそれぞれ算出される。さらに、ＴＰ＃９と、ＴＰ＃３、ＴＰ＃８との間のＣＡＬ係数ｃ3,9、ｃ8,9がそれぞれ算出される。
【００５１】
そして、リンクＣＡＬ係数に基づいて、ＣＡＬ係数算出部２０７によって暫定ＣＡＬグループの起点のＴＰを基準とした各ＴＰのツリーＣＡＬ係数が算出される（ステップＳ１０７）。具体的には、１つの起点のＴＰを選択し、起点のＴＰからＳＮＲが所定の基準を満たすＴＰを順次ＣＡＬリンクで接続することで暫定ＣＡＬグループが形成される。例えば、図５に示すように、ＴＰ＃１を起点とする暫定ＣＡＬグループが形成される。暫定ＣＡＬグループでは、起点ＴＰ＃１にＴＰ＃３〜＃６が接続される。また、ＴＰ＃３にはＴＰ＃９が接続され、ＴＰ＃９にはＴＰ＃８が接続される。ＴＰ＃６にはＴＰ＃２が接続され、ＴＰ＃２にはＴＰ＃７が接続される。
【００５２】
次に、ＣＡＬツリー制御部２０８によって、候補ＣＡＬグループが生成される（ステップＳ１０８）。具体的には、１つの起点のＴＰを選択し、起点のＴＰからＳＮＲが所定の基準を満たすＴＰを順次ＣＡＬリンクで接続することで候補ＣＡＬグループが形成される。例えば、図６に示すように、ＴＰ＃１を起点とし、暫定ＣＡＬグループと同じ階層構造を有する候補ＣＡＬグループ＃１が生成される。また、ＴＰ＃８を起点とする候補ＣＡＬグループ＃Ｋが生成される。候補ＣＡＬグループ＃Ｋでは、起点ＴＰ＃８にＴＰ＃７、ＴＰ＃９が接続される。また、ＴＰ＃７にはＴＰ＃２が接続され、ＴＰ＃２にはＴＰ＃６が接続される。ＴＰ＃９には、ＴＰ＃３、ＴＰ＃４がそれぞれ接続され、ＴＰ＃３にはＴＰ＃１が、ＴＰ＃１にはＴＰ＃５がそれぞれ接続される。このように、候補ＣＡＬグループ＃１〜＃Ｋは、リンクグループのＣＡＬリンクの一部を用いてＴＰがそれぞれ接続されるが、その階層構造は各候補ＣＡＬグループ＃１〜＃Ｋで異なる。
【００５３】
図３に戻り、候補ＣＡＬグループが生成されると、ＣＡＬツリー制御部２０８によって各候補ＣＡＬグループのＴＰ間のホップ数が算出される（ステップＳ１０９）。具体的には、例えば図６に示すように、候補ＣＡＬグループ＃１のＴＰ＃１とＴＰ＃３〜ＴＰ＃６とはそれぞれ直接ＣＡＬリンクで接続されるため、ホップ数は「０」となる。また、ＴＰ＃１とＴＰ＃２は、ＴＰ＃６を介して２つのＣＡＬリンクで接続されるため、ホップ数は「１」となる。算出したホップ数は、図７に示すように候補ＣＡＬグループごとにホップ数テーブルとして記憶される。
【００５４】
なお、ステップＳ１０８、ステップＳ１０９は、ステップＳ１０４とステップＳ１０５との間で実行されてもよい。
【００５５】
次に、実施の形態１に係る最適ＣＡＬグループの生成方法について、図８に示すフロー図を参照しながら具体的に説明する。図８に示す最適ＣＡＬグループの生成方法は、ＣＡＬリンクが生成されてから次のＣＡＬリンクが生成されるまでの間であって所定の周期が到来した際や、ＵＥとの通信のスループットが所定の閾値未満になった際に実行される。
【００５６】
ＵＥからＵＬ信号が送信されると、このＵＬ信号は各ＴＰによって受信され、ベースバンド処理装置１００へ送信される。そして、ＵＬ信号は、ＵＬ信号受信部２０９によって受信され（ステップＳ２０１）、ＵＬ信号のパイロットシンボルを用いてＵＬのチャネル推定が実行される（ステップＳ２０２）。すなわち、ＵＬ信号受信部２０９によって、ＵＥとＴＰの間のＵＬのチャネル推定値が求められる。
【００５７】
求められたＵＬのチャネル推定値は、チャネル推定値補正部２１０へ出力され、チャネル推定値補正部２１０によって暫定ＣＡＬグループのツリーＣＡＬ係数を用いてチャネル推定値が補正されることにより、ＤＬのチャネル推定が実行される（ステップＳ２０３）。すなわち、チャネル推定値補正部２１０によって、ＵＥとＴＰの間のＤＬのチャネル推定値が求められる。求められたＤＬのチャネル推定値はＤＬ信号送信部２１１へ出力され、ＤＬ信号送信部２１１によって、ＤＬ信号の送信ウェイトが生成される（ステップＳ２０４）。
【００５８】
そして、ＣＡＬツリー制御部２０８によって、回線品質が高いＴＰの集合が協調セットとして選択される（ステップＳ２０５）。具体的には、ＣＡＬツリー制御部２０８は、通信を行うＵＥごとにパイロットシンボルの受信レベルが所定の閾値以上の上位Ｎ個のＴＰを選択する。図９に示す例では、受信レベルが閾値を超えたＴＰ＃１〜ＴＰ＃５のうち、上位４個のＴＰ＃１〜ＴＰ＃４が協調セットとして選択される。また、図１０に示すように、ＵＥ＃１の協調セットはＴＰ＃１〜ＴＰ＃４であり、ＵＥ＃２の協調セットは、ＴＰ＃１、ＴＰ＃２、ＴＰ＃５、ＴＰ＃６である。このように、協調セットはＵＥごとに選択される。なお、協調セットは、パイロットシンボルの受信レベルに基づいて選択される以外にも、例えばＤＬ信号送信部２１１において生成される送信ウェイト行列に基づいて選択されても良い。この場合、例えば送信ウェイト行列から各ＴＰ用の送信ウェイトベクトルのノルム（大きさ）が大きい上位Ｎ個のＴＰが協調セットとして選択される。例えばＴＰ＃１〜ＴＰ＃９を用いて協調送信を行う場合、ＴＰ＃ｉ（ｉ＝１〜９）のそれぞれから送信される信号ｙｉは、式（２）に示すように、ＴＰ＃ｉのウェイトベクトルｗｉ＝［ｗi,1  ｗi,2］とデータベクトルｄ＝［ｄ1  ｄ2］Ｔの乗算結果となる。したがって、ウェイトベクトルのノルムが大きいＴＰはＵＥへの協調送信時に電力的な寄与が大きいと判断できる。そのため、当該ＴＰを協調セットとして選択する。
【数２】
2019091974.tif 000004
【００５９】
図８に戻り、送信ウェイトが適用されたＵＥ宛てのＤＬ信号が送信Ｉ／Ｆ部１０１からＣＡＬグループ内の複数のＴＰへ送信され、ＣＡＬグループ内の複数のＴＰからＵＥへ協調送信される（ステップＳ２０６）。
【００６０】
ＵＥへの協調送信が行われると、この協調送信が所定期間行われたか否かが判定される（ステップＳ２０７）。この判定の結果、協調送信が所定期間行われていない場合は（ステップＳ２０７Ｎｏ）、ステップＳ２０１に戻り、ＵＥとの通信が行われる。
【００６１】
一方、協調送信が所定期間行われた場合（ステップＳ２０７Ｙｅｓ）、協調セットに含まれるＴＰの中から出現頻度が高い高頻度ＴＰの組を抽出する（ステップＳ２０８）。具体的には、図１１に示すように、例えばＣＡＬツリー制御部２０８によって、協調送信が行われた所定期間に選択したすべての協調セットに含まれるＴＰの数がＴＰごとにカウントされる。そして、出現頻度の高い上位Ｍ個（図１１ではＭ＝４）のＴＰが高頻度ＴＰの組として抽出される。図１１に示す例では、ＴＰ＃２、ＴＰ＃３、ＴＰ＃７、ＴＰ＃８が高頻度ＴＰの組として抽出される。
【００６２】
図８に戻り、高頻度ＴＰの組が抽出されると、ＣＡＬツリー制御部２０８によって生成された候補ＣＡＬグループについて、高頻度ＴＰの組に含まれるＴＰの間の平均ホップ数が算出される（ステップＳ２０９）。例えば、図１２に示す候補ＣＡＬグループ＃１において、ＴＰ＃２、ＴＰ＃３、ＴＰ＃７、ＴＰ＃８が高頻度ＴＰの組として抽出されている。この場合、候補ＣＡＬグループ＃１のホップ数テーブルに基づいて、平均ホップ数が算出される。図１３に示す例では、ＴＰ＃２、＃３間のホップ数は「２」、ＴＰ＃２、＃７間のホップ数は「０」、ＴＰ＃２、＃８間のホップ数は「４」、ＴＰ＃３、＃７間のホップ数は「３」、ＴＰ＃３、＃８間のホップ数は「１」、ＴＰ＃７、＃８間のホップ数は「５」である。したがって、候補ＣＡＬグループ＃１における平均ホップ数は「２．５」となる。一方、図１４に示す候補ＣＡＬグループ＃２において、ＴＰ＃２、ＴＰ＃３、ＴＰ＃７、ＴＰ＃８が高頻度ＴＰの組として抽出されると、候補ＣＡＬグループ＃２のホップ数テーブルに基づいて、平均ホップ数が算出される。図１５に示す例では、ＴＰ＃２、＃３間のホップ数は「０」、ＴＰ＃２、＃７間のホップ数は「０」、ＴＰ＃２、＃８間のホップ数は「１」、ＴＰ＃３、＃７間のホップ数は「１」、ＴＰ＃３、＃８間のホップ数は「０」、ＴＰ＃７、＃８間のホップ数は「２」である。したがって、候補ＣＡＬグループ＃２における平均ホップ数は「０．６７」となる。
【００６３】
図８に戻り、候補ＣＡＬグループごとに高頻度ＴＰの組の平均ホップ数が算出されると、ＣＡＬツリー制御部２０８によって、平均ホップ数が最も少ない候補ＣＡＬグループが最適ＣＡＬグループに選出される（ステップＳ２１０）。
【００６４】
そして、選出された最適ＣＡＬグループの起点のＴＰを基準とした各ＴＰのツリーＣＡＬ係数を算出する（ステップＳ２１１）。具体的には、暫定ＣＡＬグループと最適ＣＡＬグループとでＣＡＬリンクの接続が異なるＴＰ＃２、＃７〜＃９のツリーＣＡＬ係数が更新される。ツリーＣＡＬ係数は、起点のＴＰとツリーＣＡＬ係数を算出するＴＰとを接続するＣＡＬリンクのリンクＣＡＬ係数を乗算することで求まる。このように、ＣＡＬツリー制御部２０８は、ＵＥとの間の回線品質が高く、協調送信を行う頻度が高いＴＰ間のホップ数が少なくなるように、暫定ＣＡＬグループの階層構造を調整し、最適ＣＡＬグループを生成する。そのため、最適ＣＡＬグループでは協調送信を行う頻度が高いＴＰ間を接続するＣＡＬリンクのＣＡＬ係数に含まれる誤差が小さくなり、キャリブレーション精度が向上する。これにより、協調送信を行うＴＰとＵＥとの間のスループットが向上する。
【００６５】
なお、選出された最適ＣＡＬグループを暫定ＣＡＬグループとして、図８に示す最適ＣＡＬグループの生成方法が繰り返し実行されることで、例えばＵＥの分布が変化した場合でも、当該分布の変化に応じた最適ＣＡＬグループが生成される。このように、図８に示す生成方法が繰り返し実行されることで、ＵＥの分布の時間変化によらず、協調送信を行うＴＰとＵＥとの間のスループットの低下を抑制することができる。
【００６６】
以上のように、本実施の形態によれば、回線品質が良好なＴＰ間にＣＡＬリンクが生成されて複数のＴＰを含む暫定ＣＡＬグループが形成された後、ＵＥとの間の回線品質が高いＴＰ間のホップ数が少なくなるように暫定ＣＡＬグループの階層構造を調整した最適ＣＡＬグループが生成される。このため、協調送信に使用される頻度の高いＴＰ間のＣＡＬ係数に含まれる誤差が小さくなり、キャリブレーション精度の劣化が抑制される。結果として、ＴＰとＵＥとの間のスループットの低下を抑制することができる。
【００６７】
（実施の形態２）
実施の形態２の特徴は、ホップ数テーブルを生成する際に、ＴＰ間の回線品質を考慮する点である。
【００６８】
上記実施の形態１においては、ＣＡＬツリー制御部２０８によるホップ数テーブルの生成時に、ＴＰ間のＣＡＬリンク数に応じてホップ数が算出された。しかし、ＴＰ間の回線品質は、ＣＡＬリンク生成時には考慮されていてもホップ数の算出に考慮されていない。そこで、ホップ数テーブル生成時に、ＴＰ間の回線品質を考慮にいれてホップ数を算出する。具体的には、図３のステップＳ１０３において、ＣＡＬリンク生成部２０４が、ＴＰのすべてのペアをＣＡＬリンクで接続する際に、ＴＰのペアの間の回線品質に応じた重みをＣＡＬリンクに設定する。例えば、図１６に示すように、ＴＰ間の回線品質がよい場合は、当該ＴＰ間のＣＡＬリンクの重みが小さくなるように、各ＣＡＬリンクにＴＰ間のＳＮＲに応じた重みγi,jが設定される。そして、図３のステップＳ１０９において、ＣＡＬツリー制御部２０８によってホップ数が算出される際には、各ＣＡＬリンクに設定された重みγi,jに応じたホップ数が算出される。具体的には、例えばＴＰ間を接続するＣＡＬリンクに設定された重みγi,jの合計値がホップ数として算出される。図１７に示す候補ＣＡＬグループ＃１において、ＴＰ＃２とＴＰ＃３との間のホップ数は、ＴＰ＃２とＴＰ＃６との間、ＴＰ＃６とＴＰ＃１との間、ＴＰ＃１とＴＰ＃３との間の各ＣＡＬリンクに設定される重みγ2,6、重みγ1,6、重みγ1,3の合計値γ2,6＋γ1,6＋γ1,3となる。
【００６９】
以上のように、本実施の形態によれば、ＳＮＲに応じた重みγi,jが各ＣＡＬリンクに設定され、設定された重みγi,jを用いてホップ数が算出される。このため、ＴＰ間の回線品質がホップ数テーブル生成に反映される。その結果、ＴＰ間の回線品質を考慮した最適ＣＡＬグループの選択が可能となり、より回線品質の高いＣＡＬリンクを用いて最適ＣＡＬグループのツリーＣＡＬ係数を算出することができる。このため、協調送信に使用される頻度の高いＴＰ間のＣＡＬ係数に含まれる誤差が小さくなり、キャリブレーション精度の劣化が抑制される。結果として、ＴＰとＵＥとの間のスループットの低下を抑制することができる。
【符号の説明】
【００７０】
１０１  送信Ｉ／Ｆ部
１０２  受信Ｉ／Ｆ部
１０３  プロセッサ
１０４  メモリ
２０１  測定信号送信部
２０２  測定信号受信部
２０３  ＳＮＲ算出部
２０４  ＣＡＬリンク生成部
２０５  ＣＡＬ信号送信部
２０６  ＣＡＬ信号受信部
２０７  ＣＡＬ係数算出部
２０８  ＣＡＬツリー制御部
２０９  ＵＬ信号受信部
２１０  チャネル推定値補正部
２１１  ＤＬ信号送信部
【図１】
2019091974.tif 000005
【図２】
2019091974.tif 000006
【図３】
2019091974.tif 000007
【図４】
2019091974.tif 000008
【図５】
2019091974.tif 000009
【図６】
2019091974.tif 000010
【図７】
2019091974.tif 000011
【図８】
2019091974.tif 000012
【図９】
2019091974.tif 000013
【図１０】
2019091974.tif 000014
【図１１】
2019091974.tif 000015
【図１２】
2019091974.tif 000016
【図１３】
2019091974.tif 000017
【図１４】
2019091974.tif 000018
【図１５】
2019091974.tif 000019
【図１６】
2019091974.tif 000020
【図１７】
2019091974.tif 000021
【図１８】
2019091974.tif 000022